(57)【要約】【課題】  複数の椅子やテーブルあるいは長椅子、ベンチ等を支持することが可能な椅子等の家具の脚装置において、左右両側に配した脚体間に連結杆の両端部を簡単且つ確実に連結でき、また外観性にも優れ、しかも連結ネジが緩んでも脚体と連結杆とが外れることがない椅子等の家具の脚装置を提供する。【解決手段】  左右両側に配した脚体間に水平な連結杆の両端部を連結し、連結杆で椅子の座部等を支持してなる椅子等の家具の脚装置であって、逆Ｕ字形の脚体６の上部に設けた取付部１１に横長の凹部１３を形成し、連結杆８の端部を凹部に嵌合するとともに、外側から凹部を貫通したボルト１９を連結杆の端部に螺合した。【選択図】        図３
2009106412.tif 000002
【特許請求の範囲】
【請求項１】
左右両側に配した脚体間に水平な連結杆の両端部を連結し、該連結杆で椅子の座部等を支持してなる椅子等の家具の脚装置であって、逆Ｕ字形の脚体の上部に設けた取付部に横長の凹部を形成し、連結杆の端部を前記凹部に嵌合するとともに、外側から該凹部を貫通したボルトを前記連結杆の端部に螺合したことを特徴とする椅子等の家具の脚装置。
【請求項２】
前記連結杆を丸パイプで形成し、前後一対設けてなる請求項１記載の椅子等の家具の脚装置。
【請求項３】
前記脚体の左右両面に前記取付部を対称に形成し、該取付部に長円形状の凹部を形成し、該凹部に丸パイプからなる前記連結杆の端部を嵌合するとともに、前記凹部の底面板で各連結杆の中心に対応する位置に取付孔を穿設し、外側から前記取付孔に挿通したボルトを、前記連結杆の端部の内部に固着した固定板に螺合してなる請求項１又は２記載の椅子等の家具の脚装置。
【請求項４】
一対の連結杆を前後に間隙を設けて配するとともに、両連結杆の上面に渡って複数の連結部材を固定して一体化してなる請求項１〜３何れかに記載の椅子等の家具の脚装置。
【請求項５】
前記脚体の外側の取付部にキャップを取付け、該キャップの裏面で前記ボルトの頭部を当止してなる請求項３又は４記載の椅子等の家具の脚装置。
【発明の詳細な説明】
【技術分野】
【０００１】
本発明は、椅子等の家具の脚装置に係わり、更に詳しくは複数の椅子やテーブルあるいは長椅子、ベンチ等を支持することが可能な椅子等の家具の脚装置に関するものである。
【背景技術】
【０００２】
従来から、左右の脚体間に連結杆を水平に連結するとともに、該連結杆に座部と背凭れ部を支持した構造の椅子は各種提供されている。例えば、特許文献１には、脚体の上端部に内方へ四角形の連結突部を設け、左右両側に配した脚体の連結突部に角パイプからなる連結杆の両端部を嵌合して、重合部をネジで締結した構造の脚部が開示されている。そして、前記連結杆には左右一対の側面視略Ｌ字形の座席支持部材を連結し、該座席支持部材の座支持杆で座部を支持するとともに、上方へ立ち上がった背凭れ支持杆で背凭れ部を支持する構造の椅子が開示されている。
【０００３】
また、特許文献２には、脚体の上端に設けた水平杆の上面に、前後に間隔を置いて嵌合溝を形成し、一対の丸パイプからなる支持杆を前後に延びたブラケットで平行に連結し、両支持杆を前記嵌合溝に嵌合した状態で、上方から挟持部材の下面に形成した嵌合溝を両支持杆に嵌合し、前記脚体の水平杆と挟持部材とを止めネジで締結することにより支持杆の端部を上下から挟持して支持した脚部の構造が開示されている。そして、座部と背凭れ部とが一体となった座板を前記ブラケットにネジ止めして支持した連結椅子が開示されている。
【０００４】
しかし、特許文献１の脚部の構造は、一方の連結杆の前面側に座席支持部材を連結して支持するので、荷重が前がかりになって連結杆に大きな捩れ応力が作用し、脚体と連結杆の連結部分に過大な力が加わり、耐久性において不安がある。一方、特許文献２の脚部の構造は、座部にかかる荷重を前後に間隔を置いて両脚体に連結した一対の支持杆で均等に受けるので、安定であるが、支持杆の端部が脚体の側方に露出するので外観性において見劣りがするばかりでなく、脚体の水平杆と挟持部材を締結している止めネジが緩んだ場合に、両部材の嵌合溝から支持杆が抜けることも予想される。
【特許文献１】実開平６−６６３９３号公報
【特許文献２】特許第３９５８５５９号公報
【発明の開示】
【発明が解決しようとする課題】
【０００５】
そこで、本発明が前述の状況に鑑み、解決しようとするところは、複数の椅子やテーブルあるいは長椅子、ベンチ等を支持することが可能な椅子等の家具の脚装置において、左右両側に配した脚体間に連結杆の両端部を簡単且つ確実に連結でき、また外観性にも優れ、しかも連結ネジが緩んでも脚体と連結杆とが外れることがない椅子等の家具の脚装置を提供する点にある。
【課題を解決するための手段】
【０００６】
本発明は、前述の課題解決のために、左右両側に配した脚体間に水平な連結杆の両端部を連結し、該連結杆で椅子の座部等を支持してなる椅子等の家具の脚装置であって、逆Ｕ字形の脚体の上部に設けた取付部に横長の凹部を形成し、連結杆の端部を前記凹部に嵌合するとともに、外側から該凹部を貫通したボルトを前記連結杆の端部に螺合したことを特徴とする椅子等の家具の脚装置を構成した（請求項１）。
【０００７】
ここで、前記連結杆を丸パイプで形成し、前後一対設けてなることが好ましい（請求項２）。
【０００８】
ここで、前記脚体の左右両面に前記取付部を対称に形成し、該取付部に長円形状の凹部を形成し、該凹部に丸パイプからなる前記連結杆の端部を嵌合するとともに、前記凹部の底面板で各連結杆の中心に対応する位置に取付孔を穿設し、外側から前記取付孔に挿通したボルトを、前記連結杆の端部の内部に固着した固定板に螺合してなることがより好ましい（請求項３）。
【０００９】
更に、一対の連結杆を前後に間隙を設けて配するとともに、両連結杆の上面に渡って複数の連結部材を固定して一体化してなることも好ましい（請求項４）。
【００１０】
更に、前記脚体の外側の取付部にキャップを取付け、該キャップの裏面で前記ボルトの頭部を当止してなることがより好ましい（請求項５）。
【発明の効果】
【００１１】
以上にしてなる請求項１に係る発明の椅子等の家具の脚装置は、逆Ｕ字形の脚体の上部に設けた取付部に横長の凹部を形成し、連結杆の端部を前記凹部に嵌合するとともに、外側から該凹部を貫通したボルトを前記連結杆の端部に螺合したので、連結杆の端部を脚体の取付部に連結する際に、凹部に連結杆の端部を嵌合して仮止めができるので、施工がし易くなるとともに、連結杆の端部が隠れるので外観性に優れる。
【００１２】
請求項２によれば、前記連結杆を丸パイプで形成し、前後一対設けてなることにより、直径の小さな連結杆を用いることができるので、コスト低減化に寄与し、また前後一対設けることにより捩れに対しても強度が高くなり、支持が安定する。
【００１３】
請求項３によれば、脚体の左右両面に取付部を対称に形成したので、左右の脚体を同一のものを用いることができ、部品点数を少なくでき、また取付部に長円形状の凹部を形成し、該凹部に丸パイプからなる連結杆の端部を嵌合するとともに、前記凹部の底面板で各連結杆の中心に対応する位置に取付孔を穿設し、外側から前記取付孔に挿通したボルトを、前記連結杆の端部の内部に固着した固定板に螺合したので、前後一対の連結杆で椅子等の座部を支持した場合にも支持強度が高く、連結杆にかかる荷重は凹部との嵌合部を介して直接脚体で受けるので、脚体と連結杆との連結に供したボルトには力がかからないので、耐久性にも優れている。
【００１４】
請求項４によれば、一対の連結杆を前後に間隙を設けて配するとともに、両連結杆の上面に渡って複数の連結部材を固定して一体化してなるので、両連結杆の上部に椅子の座部等を取付けて支持した場合でも、各連結杆には捩り応力が作用せず、曲げ応力だけが作用するので、連結杆の中心でボルトによって軸方向に締結する構造でもボルトが緩むことがないのである。
【００１５】
請求項５によれば、脚体の外側の取付部にキャップを取付け、該キャップの裏面でボルトの頭部を当止することにより、仮にボルトが緩んでもその頭部がキャップに当接してそれ以上の回転を阻止するので、ボルトが連結杆の端部から完全に外れることはないのである。
【発明を実施するための最良の形態】
【００１６】
次に、添付図面に示した実施形態に基づき、本発明を更に詳細に説明する。図１は本発明を適用した椅子を示し、図２は椅子の側面図、図３は椅子の分解斜視図を示し、図中符号１は脚部、２は座部、３は背凭れ部、４は肘掛部をそれぞれ示している。
【００１７】
本発明に係る脚部１は、左右に逆Ｕ字形の脚体５，５を配し、該脚体５，５の上端部間に、一対の連結杆６，６を平行且つ離間した状態で連結した構造である。前記連結杆６は、本実施形態では３つの座部２，…を横方向に間隔を置いて取付けることができる長さに設定している。
【００１８】
そして、前記脚部１の連結杆６，６に固定した一対の支持金具７，７に、前記座部２の裏面を取付けるとともに、前記座部２の裏面に取付けた左右一対のブラケット８，８に前記背凭れ部３の下端部を取付けて椅子を構成する。更に、前記座部２の側部には、肘掛部４を前記連結杆６，６を利用して取付けている。
【００１９】
更に詳しくは、前記脚部１は、図３〜図５に示すように、アルミダイキャスト製の一対の脚体５，５と、丸パイプからなる一対の連結杆６，６からなっている。前記連結杆６，６は、その上面部に前記支持金具７，…を溶接して固定することにより一体化し、両連結杆６，６間には所定幅の間隙９を有している。つまり、前記支持金具７は、前後一対の連結杆６，６を一体化するための連結部材を兼ねている。前記脚体５は、化粧面部５Ａの内側に沿った中央部の補強部５Ｂを有する断面略Ｔ字形であり、全体側面視では逆Ｕ字形となっており、前後の支脚部１０，１０が上端部で合流し、その上端部に前記連結杆６，６を連結する取付部１１を設けている。
【００２０】
そして、前記取付部１１は、前記脚体５の左右両面に対称に形成されており、周囲に取付台１２を残して前記連結杆６，６の包絡線形状、つまり長円形状の凹部１３を形成し、該連結杆６，６の端部を嵌合できるようになっている。更に、前記凹部１３の底面板１４であって、各連結杆６，６の中心に対応する位置に取付孔１５，１５を穿設している。このように、前記脚体５は左右対称形となっているので、左右の脚体５，５は同一のものを用いることができる。
【００２１】
また、前記連結杆６は、端部の内部に固定板１６を溶着し、該固定板１６の裏側中心にはナット１７を溶着するとともに、該ナット１７の螺孔に連通するように通孔１８を穿設している。そして、図５に示すように、前述のように、一対の連結杆６，６を複数対の前記支持金具７，…で一体化した状態で、該連結杆６，６の端部を前記脚体５の取付部１１の凹部１３に嵌入するとともに、外側から前記底面板１４に設けた取付孔１５，１５にボルト１９，１９を挿入して前記連結杆６，６の端部に設けたナット１７，１７に螺合して締結する。尚、連結杆６は、楕円形でも良い。
【００２２】
そして、図３及び図５に示すように、前記脚体５の外側の取付部１１には、前記取付台１２に嵌合するように、キャップ２０を取付けて、前記凹部１３及びボルト１９，１９を覆い隠すとともに、該ボルト１９の緩み止めも同時に図っている。つまり、前記キャップ２０は、前記取付台１２と同形の化粧面２１の裏面周囲に前記凹部１３に嵌入する長円形のリブ２２を突設するとともに、前記取付台１２に設けた座グリ孔２３，２３に対応する位置に筒部２４，２４を突設している。そして、前記キャップ２０の筒部２４，２４を外側の座グリ孔２３，２３に嵌入するとともに、前記リブ２２を凹部１３内に嵌入し、内側から座グリ孔２３，２３の中心に形成した孔にネジ２５，２５を挿通して前記筒部２４，２４に螺合して取付ける。この状態で、前記キャップ２０の化粧面２１の周囲裏面は前記取付台１２に当接するとともに、化粧面２１の裏面は前記ボルト１９の頭部に接触するか、あるいは接近した位置にある。そのため、前記ボルト１９が緩んでも、その頭部が前記キャップ２０の化粧面２１に接触した後は、それ以上緩む方向の回転が規制され、もって前記連結杆６のナットからボルト１９が外れて、該連結杆６が脱落することを防止できるのである。
【００２３】
前記支持金具７は、図３、図４及び図７に示すように、前記脚部１を構成する一対の連結杆６，６の上面部に渡して溶接する固定部２６の前後部に取付片２７，２７を斜め上方へ向けて延設したものである。前記取付片２７，２７の先端部は略同一平面となっており、その先端部にそれぞれ通孔２８，２８を形成している。
【００２４】
そして、前記座部２と背凭れ部３とを左右一対のブラケット８，８で連結した状態で、前記座部２を前記左右一対の支持金具７，７に取付けて支持するのである。ここで、前記座部２は、合板を所定形状に成形した座板２９の上面にクッション材３０を接着し、前記背凭れ部３は、同じく合板を所定形状に成形した背凭れ板３１の前面にクッション材３２を接着したものである。尚、前記座部２と背凭れ部３は、前記クッション材３０、３２を設けない場合もある。
【００２５】
図７に示すように、前記座板２９を前記支持金具７，７の取付片２７，２７に載置し、下方からネジ３３，…を通孔２８，…を通して座板２９の裏面に埋設した図示しないオニメナットに螺合して取付ける。
【００２６】
前記ブラケット８は、図３、図６及び図８に示すように、垂直な基板３４の上部の前後に、前記座板２９を取付ける座取付片３５，３５を外向きに直角に折曲形成するとともに、下部に前記背凭れ板３１を取付ける背取付片３６を内向きに直角に折曲形成し、前記座取付片３５，３５に通孔３７，３７を穿設し、前記背取付片３６に通孔３８，３８を穿設している。前記座取付片３５と背取付片３６とは所定の角度を有している。
【００２７】
前記背凭れ板３１の下部の連結板部３９は、略ヘ字形に屈曲して斜め前方下方に向いており、この連結板部３９に前記通孔３８，３８に対応するように円孔４０，４０を形成している。そして、図３及び図８に示すように、前記連結板部３９の背面側から受金具４１に突設した円筒ナット４２，４２を前記円孔４０，４０に嵌入するとともに、前面側から前記ブラケット８の背取付片３６を前記連結板部３９に沿わせ、前方からネジ４３，４３を通孔３８，３８に通して、前記円筒ナット４２，４２に螺合して連結する。両方のブラケット８，８を前記背凭れ板３１の連結板部３９に取付けた後、両ブラケット８，８の座取付片３５，…に前記座板２９の裏面を当接し、前記通孔３７，…にネジ４４，…を通して、座板２９の裏面に埋設した図示しないオニメナットに螺合して取付ける。その後、前記座板２９を前記脚部１の連結杆６，６に固着した支持金具７，７の取付片２７，…に載置し、下方から通孔２８，２８を通したネジ３３，…で締結する。
【００２８】
前記肘掛部４は、図９に示すように、前記連結杆６，６の上面に渡して取付ける保持片４５の上面前後から上方へ拡開するように一対の支持杆４６，４６を設け、該支持杆４６，４６の上端に渡して上方へ凸に湾曲した載置部材４７を設けた構造である。そして、前記保持片４５を前記連結杆６，６の上面に渡して載置するとともに、該連結杆６，６の下面に挟持片４８を渡した状態で、前記連結杆６，６の間隙９を通して前記保持片４５と挟持片４８の中央部を貫通させたボルト４９と、ナット５０で締結し、保持片４５と挟持片４８とで両連結杆６，６を上下から抱き込むように挟持して当該肘掛部４を立起状態に保持するのである。本実施形態では、図１に示すように、椅子を構成する座部２，２の間に前記肘掛部４を設けている。この肘掛部４は、連結杆６，６に対して着脱自在であるので、必要になれば後付けし、また不要になった場合には簡単に取り外すことができる。
【００２９】
最後に、図１０に示すように、前記脚部１の連結杆６，６の左右両側部に座部２を取付けて椅子を構成し、中央部にテーブル５１を前記支持金具７，７と同様な支持金具５２，５２で水平に保持することも可能である。前記支持金具７は、前記座部２を若干後傾するように保持するため、前方の取付片２７より後方の取付片２７を低く設定しているが、前記テーブル５１を支持する支持金具５２は前後の取付片を同一高さに設定し、該テーブル５１を水平に保持できるようにしている。
【図面の簡単な説明】
【００３０】
【図１】本発明の代表的実施形態を示す連結椅子の正面図である。
【図２】同じく連結椅子の側面図である。
【図３】同じく分解指図である。
【図４】脚部の構造を示す部分斜視図である。
【図５】同じく脚部の構造を示し、脚体と連結杆の連結部の拡大縦断面図である。
【図６】座部と背凭れ部を連結するブラッケトの斜視図である。
【図７】脚部に座部を取付けた状態の部分縦断面図である。
【図８】座部に背凭れ部を連結した状態の部分縦断面図である。
【図９】肘掛部を脚部の連結杆に取付けた状態の縦断面図である。
【図１０】両側の椅子の間にテーブルを設けた実施形態を示す正面図である。
【符号の説明】
【００３１】
１  脚部、            ２  座部、
３  背凭れ部、        ４  肘掛部、
５  脚体、            ６  連結杆、
７  支持金具、        ８  ブラケット、
９  間隙、            １０  支脚部、
１１  取付部、        １２  取付台、
１３  凹部、          １４  底面板、
１５  取付孔、        １６  固定板、
１７  ナット、        １８  通孔、
１９  ボルト、        ２０  キャップ、
２１  化粧面、        ２２  リブ、
２３  座グリ孔、      ２４  筒部、
２５  ネジ、          ２６  固定部、
２７  取付片、        ２８  通孔、
２９  座板、          ３０  クッション材、
３１  背凭れ板、      ３２  クッション材、
３３  ネジ、          ３４  基板、
３５  座取付片、      ３６  背取付片、
３７  通孔、          ３８  通孔、
３９  連結板部、      ４０  円孔、
４１  受金具、        ４２  円筒ナット、
４３  ネジ、          ４４  ネジ、
４５  保持片、        ４６  支持杆、
４７  載置部材、      ４８  挟持片、
４９  ボルト、        ５０  ナット、
５１  テーブル、      ５２  支持金具。
【図１】
2009106412.tif 000003
【図２】
2009106412.tif 000004
【図３】
2009106412.tif 000005
【図４】
2009106412.tif 000006
【図５】
2009106412.tif 000007
【図６】
2009106412.tif 000008
【図７】
2009106412.tif 000009
【図８】
2009106412.tif 000010
【図９】
2009106412.tif 000011
【図１０】
2009106412.tif 000012